(57)【要約】【課題】電源を外部電源から給電される主電源と主バッテリに切り替え可能な画像形成装置において、装置内部の主バッテリ電力系統を簡略化し、操作部へ電力を安価に効率よく供給できるようにする。【解決手段】ＡＣアダプタ３２と主バッテリ３４とを備え、動作モードを通常モード又は省電力モードに切り替え可能な画像形成装置であって、前記ＡＣアダプタ３２と前記主バッテリ３４を切り替えるスイッチ３７と、切り替えた電源から給電されて、当該画像形成装置のシステム部とエンジン部に対応した異なる供給電圧を生成するＤＣ電源生成部３９と、補助バッテリを備え、復帰要因の検知を行い省電力モードからの復帰を指示する操作パネルと、を有する。【選択図】  図２
2015112744.tif 000002
【特許請求の範囲】
【請求項１】
外部電源から給電される主電源と主バッテリとを備え、動作モードを通常モード又は省電力モードに切り替え可能な画像形成装置であって、
前記主電源と前記主バッテリを切り替える電源切替手段と、
切り替えた電源から給電されて、当該画像形成装置の異なる部位で使用される電圧を生成する電源生成部と、
補助バッテリを備え、復帰要因の検知を行い省電力モードからの復帰を指示する操作部と、を有する画像形成装置。
【請求項２】
請求項１に記載された画像形成装置において、
前記省電力モードが、前記主電源をオフし前記主バッテリと前記補助バッテリをオンして給電を行う第１の省電力モードと、前記主バッテリをオフし、前記補助バッテリのみをオンする第２の省電力モードである画像形成装置。
【請求項３】
請求項２に記載された画像形成装置において、
第１の省電力モードでは、当該画像形成装置のエンジン部への通電を遮断して当該画像形成装置のシステム部のみに通電し、第２の省電力モードにおいては、さらに前記システム部への通電も遮断する画像形成装置。
【請求項４】
請求項２又は３に記載された画像形成装置において、
前記第２の省電力モードにおいて、前記操作部において復帰要因が検知されたとき、前記第２の省電力モードを前記第１の省電力モード又は前記通常モードに切り替える画像形成装置。
【請求項５】
請求項２ないし４のいずれかに記載された画像形成装置において、
前記操作部は記憶手段及び表示手段を備え、前記第２の省電力モードにおいて、前記記憶手段に記憶した内容を前記表示手段に表示可能である画像形成装置。
【請求項６】
請求項１ないし５のいずれかに記載された画像形成装置において、
前記操作部が挿抜可能なインタフェース手段で接続された画像形成装置。
【請求項７】
請求項５又は６に記載された画像形成装置において、
前記操作部の記憶手段は、当該操作部を特定する識別情報を記憶し、
前記操作部は情報処理装置に接続可能であり、かつ、前記操作部を特定する識別情報と前記情報処理装置から入力される操作部を特定する識別情報とを照合する手段を備え、
前記操作部を特定する識別情報が一致することを条件に、前記情報処理装置から前記操作部の記憶手段へのアクセスを許容する画像形成装置。
【請求項８】
請求項５ないし７のいずれかに記載された画像形成装置において、
当該画像形成装置を制御する主制御部を備え、
前記主制御部は、前記操作部に入力されたユーザの識別情報を照合する手段と、
前記ユーザの識別情報が一致することを条件に、当該画像形成装置のエンジン部に通電して当該エンジン部の情報を取得し、取得した情報を前記操作部の記憶手段に記憶する画像形成装置。
【請求項９】
外部電源から給電される主電源と主バッテリとを備え、動作モードを、通常モード又は省電力モードに切り替え可能な画像形成装置における動作モード制御方法であって、
前記主電源と前記主バッテリを切り替える電源切替工程と、
切り替えた電源から給電されて、当該画像形成装置の異なる部位で使用される電圧を生成する電源生成工程と、
補助バッテリを備えた操作部により、復帰要因の検知を行い省電力モードからの復帰を指示する工程と、を有する画像形成装置における動作モード制御方法。
【発明の詳細な説明】
【技術分野】
【０００１】
本発明は、画像形成装置及び画像形成装置における動作モード制御方法に関する。
【背景技術】
【０００２】
近年、消費エネルギー削減のため、オフィスで使用されるマルチファンクションプリンタ（以下、ＭＦＰと略記する）は、不使用時には省電力モードに移行するようになっている。また、ＭＦＰは、一旦移行した省電力モードから通常モードに戻して使用できるようにするため、その操作部にオペレータの操作を管理する機構を装備している。更に、省電力モード時の消費電力を一層削減するため、ＭＦＰに充放電式の２次バッテリ（充電器；以下、単にバッテリと云う）を搭載し、ＡＣ電源からの主電源とバッテリの電源とを切り替え、省電力モード時には、操作部にバッテリから電力供給することが知られている。
【０００３】
しかし、従来のＭＦＰは、ＡＣ電源から給電される主電源とバッテリを装備し、かつ操作部への電力供給をバッテリで行うため、装置内部のバッテリ電力系統が複雑なものになっている。即ち、ＭＦＰの後方に位置するＡＣ電源ユニットの近くに配置されるバッテリと、オペレータに近い前面に配置される操作部との間が長いルートとなり、その間のノイズ対策、無効な漏れの防止対策などでコストアップするという問題がある。
【０００４】
この問題について、従来の特許文献をみると、例えば、特許文献１（特開２００３−１９１５７６号公報）には、画像形成装置のバッテリの消費を抑える目的で、内蔵の二次電池から給電される経路を操作パネル部に限定することにより、装置の稼動時、待機時および省エネルギーモード時において二次電池により操作パネル部へ電力が供給される消費電力をその分抑え、バッテリの消費を低減させることが開示されている。
この特許文献１に記載された画像形成装置は、以下で説明する本発明と、省電力モード時において、操作部にバッテリ電力を供給するという点では類似している。
しかし、特許文献１に記載された画像形成装置では、装置内部のバッテリ電力系統が複雑化してしまい、操作部へバッテリ電力を引き回す悪影響に対策でコストアップしたり、電力を無駄に消費してしまうという問題は解消できていない。
【発明の概要】
【発明が解決しようとする課題】
【０００５】
本発明は、前記従来の問題に鑑みてなされたものであって、その目的は、電源を外部電源から給電される主電源と主バッテリに切り替え可能な画像形成装置において、装置内部の主バッテリ電力系統を簡略化するとともに、操作部へ電力を安価に効率よく供給できるようにすることである。
【課題を解決するための手段】
【０００６】
本発明は、外部電源から給電される主電源と主バッテリとを備え、動作モードを通常モード又は省電力モードに切り替え可能な画像形成装置であって、前記主電源と前記主バッテリを切り替える電源切替手段と、切り替えた電源から給電されて、当該画像形成装置の異なる部位で使用される電圧を生成する電源生成部と、補助バッテリを備え、復帰要因の検知を行い省電力モードからの復帰を指示する操作部と、を有する画像形成装置である。
【発明の効果】
【０００７】
本発明によれば、操作部を特定する、前記主電源と主バッテリとを電源生成部でのみ切り替えるようにしたため、装置内部の主バッテリ電力系統を簡略化でき、また、操作部に専用の補助バッテリを用いることで、操作部へ電力を安価に効率よく供給することができる。
【図面の簡単な説明】
【０００８】
【図１】本発明の画像形成装置の１実施形態であるＭＦＰを概略的に示すブロック図である。
【図２】ＤＣ電源制御部の構造を概略的に示すブロック図である。
【図３】ＭＦＰに内蔵される操作パネルの構成を概略的に示すブロック図である。
【図４】省電力モード時におけるＬＣＤ表示部の表示例である。
【図５】ＭＦＰの省電力モード時における動作の処理手順を示すフロー図である。
【図６】省電力モード時におけるＬＣＤ表示部の他の表示例である。
【発明を実施するための形態】
【０００９】
次に、本発明の実施形態を、図面を参照して説明する。
図１は、本発明の画像形成装置の１実施形態であるＭＦＰ（又はインクジェット複合装置）を概略的に示すブロック図である。
ＭＦＰは、ＭＦＰの各機能実行に当たり、異なる部位、即ち、プログラムやデータの保存、データの授受など後述のエンジン部３６が実行する機能を支援する支援機能を実行するシステム部３５と、スキャナ、インクジェット印字などのＭＦＰの各機能を実行するエンジン部３６、本発明の操作部に対応する、ユーザが操作するための操作パネル６などを備える。
なお、本発明における「システム部」、「エンジン部」は、ＭＦＰのものに限定されず、画像形成装置において同様の機能を実行する部位を指す。
【００１０】
本発明の主制御部に対応するメインＭＰＵ（Micro-Processing Unit）１は、ここではＭＦＰ全体を制御し、システムバスＳＢを介して各部の専用制御部に接続されている。即ち、メインＭＰＵ１は、システム部３５を構成する、それぞれ機能動作プログラムを格納するＦＲＯＭ（不揮発性メモリ）２、システム動作のためのＲＡＭ（Random Access Memory）３、主に画像データを処理するためのワーク（work）ＲＡＭ４、ＵＳＢＰＨＹ（Universal Serial Bus Physical Layer）２６、ＦＡＸ（ファクシミリ）モデム２８、無線ＬＡＮ（Local Area Network）制御部３０と、また、エンジン部３６を構成する、画像処理制御部７、スキャナ制御部８、印字ヘッド制御部１１、エンコーダ処理部１５、モータドライブ制御部１８、Ｉ／Ｏ（入出力）制御部２２に、システムバスＳＢを介してそれぞれ接続されている。また、スキャナ１０やキャリッジ１２との画像データの交換のためビデオバスＶＢが別途設けられている。
【００１１】
本発明の操作部に対応する操作パネル６は、Ｉ／Ｆ（インタフェース）５を介してシステムバスＳＢに接続され、メインＭＰＵ１と通信を行う。また、操作パネル６は、メインＭＰＵ１からの指示で画面表示をし、ＬＥＤ（Light Emitting Diode）などを点灯し、キー操作、タッチパネル操作などを受け付ける。
【００１２】
エンジン部３６には、原稿を自動的に搬送するＡＤＦ（Auto Document Feeder）９と、スキャナ１０が備えられている。ＡＤＦ９の図示しないセンサ、モータやクラッチ、及びスキャナ１０のセンサ、フラットベッドモーターは、スキャナ制御部８によって制御される。
スキャナ制御部８は、スキャナ１０のＣＣＤ（Charge Coupled Device）または密着センサを制御して読み取り、データを取得する。インクジェット印字のキャリッジ１２には、インクジェットの印字ヘッド１４と印字ヘッド１４を駆動するドライバ１３が搭載されており、印字ヘッド制御部１１で制御される。
【００１３】
キャリッジ１２には、主走査方向の動作を検出するためのエンコーダ（主）１６、及び用紙搬送方向の副走査方向の動作を検出するエンコーダ（副）１７が装備されている。
主、副のエンコーダ１６、１７の信号は、エンコーダ処理部１５で解析される。これにより印字ヘッド１４などの動作だけではなく、その現在位置の情報が得られる。そのため、画像書き出しの先端やページの終わりを認識することができ、連動して印字ヘッド１４を制御することで印字ができる。
【００１４】
スキャナ読取、インクジェット印字のための画像処理を行う画像処理制御部７は、ビデオバスＶＢを介して、スキャナ制御部８、印字ヘッド制御部１１と画像データのやり取りを行う。
画像処理制御部７は、ファクシミリ通信の伸長圧縮処理を行うが、この場合は、スキャナ制御部８などと比べてデータ量が少ないため、システムバスＳＢを介してＦＡＸ処理部（ＦＡＸモデム２８）とデータのやり取りを行う。
【００１５】
エンジン部３６には主走査モータ１９、副走査モータ２０やインクタンクからの供給、維持動作を行うためのタンクモータ２１が装備されており、これらはモータドライブ制御部１８で制御される。また、カバー開閉センサやインクカートリッジ検知センサ、用紙搬送センサなどの各種センサ２３からの検出信号、クラッチ２４、オプションで装置に装着される給紙バンク２５などはＩ／Ｏ（入出力）制御部２２で制御される。
【００１６】
システムバスＳＢに接続されたＵＳＢＰＨＹ２６は、パソコンからプリントアウトデータ送信やスキャナ画像配信などを行うためのＵＳＢ／Ｄ（デバイス）、またＵＳＢメモリからのプリントやＵＳＢメモリへのデータ蓄積及びＵＳＢホストデバイスからのプリントアウトのためのＵＳＢ／Ｈ（ホスト）を介してデータのやり取りが行われる。
【００１７】
本ＭＦＰは、複合機能の一つとしてＦＡＸ機能を有し、ＦＡＸモデム２８で、アナログ電話網の回線Ｉ／Ｆ２７を介してデータのＦＡＸ送受信が行われる。また、無線ＬＡＮ網のパソコンとデータのやり取りを行うためアンテナと接続するＷｉＦｉ  Ｉ／Ｆ２９が無線ＬＡＮ制御部３０を介してシステムバスＳＢに接続している。
【００１８】
本ＭＦＰのＡＣ電源コード３１は、外部電源である商用電源に接続され、ＡＣアダプタ３２でＤＣ電圧に変換され、ＭＦＰのＤＣ電源制御部３３に接続されている。ＭＦＰに内蔵されたＤＣ電源制御部３３には、主バッテリ３４が接続されている。ＤＣ電源制御部３３は、メインＭＰＵ１と、その周辺回路と各種通信ポートのシステム部３５に、電圧Ｖ＿ｓ、スキャナ、インクジェット印字を行うエンジン部３６に電圧Ｖ＿ｍを供給する。
【００１９】
図２は、ＤＣ電源制御部３３の構造を概略的に示すブロック図である。
図２において、外部電源（商用電源）がＡＣ電源コード３１により、本発明の主電源に相当するＡＣアダプタ３２に供給されると、ＡＣアダプタ３２でＤＣ電圧が生成される。生成されたＤＣ電圧は、ＤＣ電源制御部３３内部の本発明の電源切替手段に対応するスイッチ３７に印加される。同様に、主バッテリ３４のＤＣ電圧もスイッチ３７に印加される。ここでスイッチ３７は、メインＭＰＵ１から出力される制御信号ＳＷ＿ｐｂにより、いずれかのＤＣ電圧を選択するように切り替えられる。切り替えられたＤＣ電圧は、電圧検知回路３８で検知される。
また、切り替えられたＤＣ電圧は、本発明の電源生成部に対応するＤＣ電源生成部３９に供給される。
本実施形態においては、主バッテリ３４の電力は、ＤＣ電源生成部３９に供給され、それ以降の部分、例えば従来のように操作パネル６などには供給されないようにしている。そのため、ＡＣアダプタ３２、主バッテリ３４それぞれについて、接続のためにシステム部３５、エンジン部３６向けに独立して配線する必要はない。
【００２０】
切り替えられたＤＣ電圧は、ＤＣ電源生成部３９で、システム部３５で使用される電圧Ｖ＿ｓとエンジン部３６で使用される電圧Ｖ＿ｍが生成される。電圧Ｖ＿ｓ及び電圧Ｖ＿ｍは、それぞれスイッチ４０、４１でオフ・オンされる。
ここで、システム部３５の電源をオン・オフするスイッチ４０は、エンジン部３６のＩ／Ｏ制御部２２から出力される制御信号ＳＷ＿ｐｓ、操作パネル６の操作パネル制御部４２から出力される制御信号ＳＷ＿ｐｒで制御される。また、エンジン部３６をオン・オフするスイッチ４１は、メインＭＰＵ１から出力される制御信号ＳＷ＿ｐｍで制御される。
【００２１】
図３は、ＭＦＰに内蔵される操作パネル６の構成を概略的に示すブロック図である。
操作パネル６は、画像などが表示可能な本発明の表示手段に対応するＬＣＤ表示部４４、キーＳＷ／タッチパネル４５、各種ＬＥＤ４６を備える。操作パネル制御部４２では、操作パネル６における画像表示、キースキャン、ＬＥＤ点灯の制御が行われる。操作パネル６には、省電力モードから復帰する条件である復帰要因を検知する復帰要因検知センサ４７が設けられており、復帰要因検知センサ４７の検知結果は操作パネル制御部４２で判別される。ここで、復帰要因としては、キーＳＷやタッチパネルの押下が含まれる。復帰要因検知センサ４７としては、照度検知や人体検知のセンサ、通常キーとは別の復帰ボタンなどのセンサが含まれる。
【００２２】
操作パネル６には、ＬＣＤ表示部４４の画面表示やデータの記憶のための、本発明の記憶手段に対応するストレージメモリ４３が備えられており、操作パネル制御部４２にローカル接続されている。ストレージメモリ４３には動作時のプログラムも記憶されている。また、操作パネル６には補助バッテリ４９が装備されており、操作パネル６で使用する電圧Ｖ＿ｏｐを、操作パネルの６のスイッチ４８により、システム部３５の電圧Ｖ＿ｓと補助バッテリ４９の電圧とに切り替える。それぞれの電圧入力があるかどうかは電圧検知回路５０で検知される。補助バッテリ４９は、電圧Ｖ＿ｓが存在しているときに充電される。
【００２３】
次に、図１〜３に基づいて、本実施形態に係るメインＭＦＰ１の動作モードに基づく電源の切り替えなどについて説明する。
先ず、図１において、図示しない電源スイッチがオンされると、ＡＣアダプタ３２、ＤＣ電源制御部３３により電圧Ｖ＿ｓ、Ｖ＿ｍが生成される。なお、図２のスイッチ３７、４０、４１の電源オフ時デフォルトは、ＡＣアダプタ３２側、電圧Ｖ＿ｓ、Ｖ＿ｍともにオンとする。電圧Ｖ＿ｓ、Ｖ＿ｍにより、メインＭＰＵ１、操作パネル６、システム部３５、エンジン部３６が通電し、装置（ＭＦＰ）は初期（イニシャライズ）動作を経て、待機状態になる。
【００２４】
本ＭＦＰでは、ＡＣアダプタ３２が装置から外されると、電源検知回路３８及びＤＣ電源生成部３９がそれを検知し、メインＭＰＵ１は、スイッチ３７を主バッテリ３４側に切り替える。主バッテリ３４の電力はメインＭＰＵ１、操作パネル６、システム部３５及びエンジン部３６に供給され、バッテリ駆動状態になる。
【００２５】
本実施形態に係るＭＦＰは、従来のものと同様に、省電力モード移行タイマーを持ち、ユーザが設定時間を変更できる移行時間に達すると、メインＭＰＵ１は制御信号ＳＷ＿ｐｍを出力し、スイッチ４１をオフする。これによりエンジン部３６の電圧Ｖ＿ｍを落とす（オフする）。なお、このとき、ＡＣ電力の消費を抑えるため、従来と同様に、メインＭＰＵ１が制御信号ＳＷ＿ｐｂを出力してスイッチ３７を切り替え、ＡＣアダプタ３２が商用電源に接続されている状態であっても、主バッテリ３４で駆動するようにしてもよい。
【００２６】
本実施形態のＭＦＰは、後述の第１の省電力モードに移行してから、さらに省電力モード移行タイマーで第２の省電力モードに移行する。即ち、待機状態から第１の省電力モードへの移行と同様に、第１の省電力モードに入っている間、設定された時間内に装置の操作やネットワークからのプリント印刷指示、ＦＡＸ受信印刷が発生しないときは、第２の省電力モードへ移行する。第１の省電力モードでは、スイッチ４０はオン、スイッチ４１はオフであるが、第２の省電力モードでは、スイッチ４０、４１ともにオフする。
本実施形態では、既に述べたように、主バッテリ３４の配線を簡略化するとともに、上述のように、第２の省電力モードの時は、操作パネル６以外の装置部分で使用する電力をオフすることで、主バッテリ３４の消耗を抑えることができる。
【００２７】
次に、第２の省電力モードから第１の省電力モード又は通常モードへの復帰、及び第２の省電力モード又は第１の省電力モードから通常モードへの復帰について説明する。
ＭＦＰが第２の省電力モードの状態にあるとき、各種センサ２３の信号がＩ／Ｏ制御部２２に入ると、ハードウェアのみで制御信号ＳＷ＿ｐｓが出力され、システム部３５のＶ＿ｓ電圧がオンして第２の省電力モードから第１の省電力モードに遷移する。
【００２８】
本実施形態では、これらの省電力モードにおけるモード遷移の手順とは別に、操作パネル制御部４２から制御信号ＳＷ＿ｐｒを出力し、制御信号ＳＷ＿ｐｓと並列でスイッチ４０を切替制御できるようにしている。
即ち、操作パネル６のキーＳＷ／タッチパネル４５や復帰要因検知センサ４７からの検知信号により復帰要因が検知されたときは、操作パネル制御部４２が制御信号ＳＷ＿ｐｒをアクティブにする（即ち、操作パネル制御部４２から制御信号ＳＷ＿ｐｒが出される）。この制御信号ＳＷ＿ｐｒは、ＤＣ電源制御部３３に入力され、スイッチ４０をオンする（図２では簡略な例として信号ＳＷ＿ｐｓとワイヤードＯＲしているが、スイッチ４０を多段の半導体にしてそれぞれでオンできるような回路を作成してもよい）。これにより、システム部３５は給電（通電）される。
【００２９】
他方、操作パネル制御部４２から制御信号ＳＷ＿ｐｒが出されると、メインＭＰＵ１が起動する。その場合、メインＭＰＵ１は、復帰要因に基づき、エンジン部３６の動作の要否を判別し、必要と判別したときは、制御信号ＳＷ＿ｐｍを出力して、エンジン部３６を動作させ、第２の省電力モードから通常モード（通常待機状態）へ復帰させる。必要と判別しないときは、制御信号ＳＷ＿ｐｍは出力されず、エンジン部３６には通電されない。つまり、第２の省電力モードからシステム部３５に電圧Ｖ＿ｓが供給される第１の省電力モードに遷移するだけで、通常モードへは復帰しない。
【００３０】
次に、省電力モード（第２の省電力モード）中において可能な、操作パネル６の動作について説明する。
図４は、省電力モード時におけるＬＣＤ表示部４４の表示例である。
図４Ａは、第２の省電力モードにおいてＬＣＤ表示部４４に表示されたタッチパネル４５の表示例であって、メニュー画面５１の「ただ今  第２の省電力モード中です」の表示と、「装置の機能を使用しますか」ボタン５２、「ストレージ内容を見ますか」ボタン５３を示す。
図４Ｂは、図４Ａでボタン５３が選択されたときに表示される、ストレージメモリ４３に記録されたストレージデータ一覧表（本実施形態では３つのファイル（FILE 1034、FILE 1362、FILE 1522）が表示されている。
図４Ａ、４Ｂから明らかなように、第２の省電力モードにおいても、ユーザはストレージメモリ４３に記録されたファイルを閲覧することができる。
【００３１】
図５は、ＭＦＰの省電力モード時における動作の処理手順を示すフロー図である。
ＭＦＰが第２の省電力モードに移行したときは、その場合のＬＣＤ表示部４４における待ち受け画面は、図４Ａのメニュー画面５１「ただ今  第２の省電力モード中です」となり、ＬＣＤ表示部４４がバックライト付きならばバックライトをオフする（Ｓ１０１）。この状態で、操作パネル制御部４２が復帰要因を検知し（Ｓ１０２、Ｙｅｓ）、しかし、エンジン部３６の起動ありでないときは（Ｓ１０３、Ｎｏ）、バックライトをオンする（Ｓ１０４）。
【００３２】
なお、本実施形態では、第２の省電力モード時において復帰要因を検知しても、操作パネル制御部４２は直ぐに制御信号ＳＷ＿ｐｒをアクティブにせず、ＬＣＤ表示部４４に、図４Ａに示すような所定のメニュー画面５１を表示する（Ｓ１０５）。
ここで、オペレータが「装置の機能を使用しますか」のタッチパネルのボタン５２を押下したときは（Ｓ１０６、Ｙｅｓ）、装置を復帰させるため制御信号ＳＷ＿ｐｒ、ＳＷ＿ｐｍをアクティブにして（Ｓ１１４）、通常モードに復帰する。
【００３３】
ステップＳ１０６で、オペレータがタッチパネルのボタン５２を押下せず（Ｓ１０６、Ｎｏ）、ストレージメモリ４３の内容を閲覧したい旨のタッチパネルのボタン５３を押下したときは（Ｓ１０７、Ｙｅｓ）、図４Ｂに示すように、一覧表表示画面５４にファイル（FILE1034、FILE1062、FILE1522）の表示を行う（Ｓ１１０）。
【００３４】
次に、一覧表表示画面５４において、スクロールキー５５を押下したときは（Ｓ１１１、Ｙｅｓ）、ファイル番号をスクロールする（Ｓ１１２）。
ここで、通常の待機状態（通常モード）では、画面表示の内容はメインＭＰＵ１がＦＲＯＭ２に記憶された画面表示（データ）を操作パネル６に描画する。しかし、図４Ｂの画面は、操作パネル制御部４２がストレージメモリ４３にある画面表示データを表示する。
次に、オペレータが一覧の閲覧を終了し、終了のボタン５６を押下すると（Ｓ１１３）、図４Ａのメニュー画面５１に戻り（Ｓ１０９）、ステップＳ１０１から処理を繰り返す。
【００３５】
ステップＳ１１１で、スクロールキー５５が押下されない場合は（Ｓ１１１、Ｎｏ）、タイムアウトを監視し（Ｓ１１５）、タイムアウトしたときは（Ｓ１１５、Ｙｅｓ）、図４Ａのメニュー画面５１に戻し（Ｓ１０９）、タイムアウトするまで（Ｓ１１５、Ｎｏ）、スクロールキー５５の押下を待つ。
ステップＳ１０７で、ストレージの内容を閲覧したい旨のボタン（「ストレージ内容を見ますか」タッチパネルボタン）５３を押下しないときは（Ｓ１０７、Ｎｏ）、タイマーで監視し、タイムアウトすれば（Ｓ１０８、Ｙｅｓ）、メニュー画面５１を表示する（Ｓ１０９）。その後、ステップＳ１０１からの処理を繰り返す。
【００３６】
以上、本実施形態に係るＭＦＰについて説明したが、本実施形態によれば、操作パネルに専用の補助バッテリを有することで、主バッテリに通常モード時、省電力モード時の各モード毎に電力供給経路を設けて、電力供給経路を複雑化する必要がない。また、操作パネル以外の部分は起動させない省電力モードをＭＦＰに搭載した主バッテリを用いず継続し、その間にユーザは操作パネル６を操作してストレージメモリ４３に記録されたデータを閲覧することができる。
【００３７】
以上、本発明の１実施形態に係るＭＦＰについて説明したが、本ＭＦＰは、さらに以下の特徴を有する。
即ち、一般のＭＦＰでは、ＵＳＢ／ＤやＷｉＦｉ網のクライアントＰＣからプリント印刷指示があった場合、通常はすぐ印字動作に入るが、本ＭＦＰではすぐに印字しない場合などは蓄積しておき、オペレータの指示があったとき印刷する機能を有している。同様に、本ＭＦＰは、スキャナ読取データを直ぐにＰＣ配信したりせずに、後で実行する機能（主バッテリ駆動装置のためＡＣアダプタを抜き、装置をＷｉＦｉ網外に移動させたときに読取り、ＡＣアダプタを接続したとき、つまりＷｉＦｉ網内に戻ってきたときクライアントＰＣに吸い上げるという機能）を有している。
【００３８】
また、本ＭＦＰは、ＦＡＸ受信があった場合にすぐに印字せずに、親展受信する機能、ＦＡＸ時刻指定送信なども、データを一旦ＭＦＰにストレージしておき、時刻が到来したときにＦＡＸ送信する機能も有している。これらの機能でストレージする画像データは、ＭＦＰが待機状態のとき操作パネル６に内蔵する後述のストレージメモリ４３（図３）に記憶させておく。
また、メインＭＰＵ１からの指示で、操作パネル制御部４２は、ローカルメモリであるストレージメモリ４３をメインＭＰＵ１のメモリ空間にマップできるようにし、メインＭＰＵ１がデータ書き込みできるようにしている。
【００３９】
なお、書き込んだデータに関する情報（例えば、ファイル番号と作成日時、名称及びファイル名など）は予め決めておく。データに関する情報は、データが一義的に定まり、操作パネル６のＬＣＤ表示部４４に表示した場合にオペレータが認識できるものであればよい。
【００４０】
次に、本発明の実施形態の変更例を説明する。
まず、以上で説明したＭＦＰに内蔵した操作パネル６を、ＭＦＰから切り離し、挿抜可能なインタフェース手段を介して接続する構成を採れば、外した操作パネル６だけでもストレージメモリ４３に記録された内容を閲覧できる。また、不使用時に、操作パネル６をＭＦＰ本体と切り離して保管することで、部外者などにより複合装置に記録された記録内容が不用意に閲覧されることを防ぐことができる。
また、ＭＦＰ（又は操作パネル６）を情報処理装置に接続可能にする。即ち、ＭＦＰ（又は操作パネル６）を情報処理装置、例えばＰＣ（Personal Computer）などに接続する手段と、ＰＣから操作パネル６のストレージメモリ４３に対するアクセスを受け付ける手段と、識別情報、例えば、操作パネル６の個体識別番号で暗号キーを生成し、この暗号キーとＰＣから入力されるキー入力（暗号キー）とを照合をする手段を備えることで、操作パネル６のストレージデータの読み出し及び書き込みを特定のＰＣのみに制限することができる。つまり、特定のＰＣのみにストレージメモリ４３へのアクセスを許容する。
【００４１】
また、省電力モードから通常モードへの復帰時に、メインＭＰＵ１（本発明の主制御部に相当）と操作パネル６で通信する手段を備え、通信が行われたときだけ省電力モードから通常モードに復帰できるようにすることもできる。即ち、例えば、通信する手段による通信は、管理者特権がある場合にだけ許可するようにして、装置（ＭＦＰ）全体は管理者権限がない場合は復帰させないようにすることができる。
このような構成を採ることにより、管理者権限を有する者（ユーザ）だけが、ＭＦＰにアクセスして、例えば管理者用の内部情報を取り出すことができる。
【００４２】
図６は、省電力モード時におけるＬＣＤ表示部４４の他の表示例であり、管理者パスワードボタン５８以外は図４に示す表示例と同じである。
図６に示すように、操作パネル６のＬＣＤ表示部４４のキーＳＷ／タッチパネル４５を表示する画面に、管理者パスワード（本発明のユーザの識別情報に対応する）ボタン５８を用意する。また、このボタン５８が押下されたときは、操作パネル６のキーＳＷ／タッチパネル４５（図３）から４桁のパスワード番号を入力することができる。入力されたパスワードは、その旨を通知するコマンドと共に、Ｉ／Ｆ５を介してメインＭＰＵ１に送信される。メインＭＰＵ１では、送信されたパスワードが予め管理者として登録されたパスワードと一致するかどうか判別し、その判別結果を操作パネル６に戻す。
【００４３】
パスワードが一致する場合であって、図６に示すボタン５２「装置の機能を利用しますか」が押下されたときは、図３の操作パネル制御部４２は、Ｉ／Ｆ５を介してシステムバスＳＢに、メインＭＰＵ１に対して、制御信号ＳＷ＿ｐｍを出力（制御）してよい旨のコマンドを発行する。
メインＭＰＵ１はこのコマンドを受け付けない限り、制御信号ＳＷ＿ｐｍを出力（制御）せず装置全体を復帰させないようにする。
【００４４】
ここでパスワードが一致する旨の応答がなされたときは、操作パネル６は、ボタン５３「ストレージ内容を見ますか」が押下された場合であっても、メインＭＰＵ１に対し、電圧Ｖ＿ｍを立ち上げるコマンドを発行する。なお、電圧Ｖ＿ｍがさらに細分化されている場合にはエンジン部の状態が判る部位だけオンするようにしてもよい。
【００４５】
なお、この場合、メインＭＰＵ１は、電圧Ｖ＿ｍを立ち上げるコマンドを発行するが、プリント出力をするためではなく、エンジン部３６の状態を判別するためであり、メインＭＰＵ１は印字ヘッド制御部１１、モータドライブ制御部１８、Ｉ／Ｏ制御部２２から状態を吸い上げ、操作パネル制御部４２に通知し、エンジン部３６の電圧Ｖ＿ｍをオフする。
また、ここでいう「状態」は、印字ヘッド１４、主・副走査モータ１９、２０、クラッチ２４などの初期動作を行い、正常に終了するかどうかの状態（本実施形態では、異常終了した場合は電源をオフし、ストレージメモリ４３の情報に異常ありとするだけにしている）、センサ情報や給紙バンク情報は正常ではあるが、インクカートリッジが外されている、給紙バンクがはずされた、給紙紙が有る／無いなどの情報である。
【００４６】
操作パネル制御部４２は、メインＭＰＵ１からの「情報」を基に、ストレージメモリ４３の情報を更新する。なお、操作パネル制御部４２が書き込み終了をメインＭＰＵ１に再度応答することで、メインＭＰＵ１が制御信号ＳＷ＿ｐｍにより電圧Ｖ＿ｍをオフするようにしてもよい。
本実施形態では、通常は一般ユーザのストレージデータだけが閲覧できるだけであるが、管理者権限がある場合は、機器全体を起動させなくても、機器内部の情報を見ることができる。
なお、以上の説明では、画像形成装置はＭＦＰであるとして説明したが、本発明は複合機に限定されない。印刷方式はインクジェット方式に限らず、静電記録方式その他であってもよい。また、複合機能に限らずプリンタ、複写機などの単機能の装置であってもよい。
【符号の説明】
【００４７】
１・・・メインＭＰＵ、２・・・ＦＲＯＭ、３・・・ＲＡＭ、４・・・ｗｏｒｋＲＡＭ、５・・・Ｉ／Ｆ、６・・・操作パネル、７・・・画像処理制御部、３２・・・ＡＣアダプタ、３３・・・ＤＣ電源制御部、３４・・・主バッテリ、３５・・・システム部、３６・・・エンジン部、３７・・・スイッチ、３８・・・電圧検知回路、３９・・・ＤＣ電源生成部、４０、４１・・・スイッチ、４３・・・ストレージメモリ、４４・・・ＬＣＤ表示部、４５・・・キーＳＷ／タッチパネル、４６・・・ＬＥＤ、４７・・・復帰要因検知センサ、４８・・・スイッチ、４９・・・補助バッテリ、５０・・・電圧検知回路。
【先行技術文献】
【特許文献】
【００４８】
【特許文献１】特開２００３−１９１５７６号公報
【図１】
2015112744.tif 000003
【図２】
2015112744.tif 000004
【図３】
2015112744.tif 000005
【図４】
2015112744.tif 000006
【図５】
2015112744.tif 000007
【図６】
2015112744.tif 000008